(57)【要約】【課題】  トナー付着防止が目的である斜送コロにおいて、紙しわ、ガイド汚れを防止する。【解決手段】  摩擦力を付与して記録シートを搬送する搬送ローラ、対向位置に設けられた搬送コロ、搬送コロを搬送ローラに押圧する付勢部材からなる搬送ローラ対において、該搬送ローラ対が記録シート搬送方向に直交する方向に配列し、搬送ローラ対による記録シート搬送方向に直交する方向にかかる搬送力が、隣接する搬送ローラ対において記録シート端部側に位置する搬送ローラ対による搬送力が記録シート中央側に位置する搬送ローラ対による搬送力よりも強い事を特徴とする。【選択図】  図１
2006232523.tif 000002
【特許請求の範囲】
【請求項１】
摩擦力を付与して記録シートを搬送する搬送ローラ、対向位置に設けられた搬送コロ、搬送コロを搬送ローラに押圧する付勢部材からなる搬送ローラ対において、該搬送ローラ対が記録シート搬送方向に直交する方向に配列し、搬送ローラ対による記録シート搬送方向に直交する方向にかかる搬送力が、隣接する搬送ローラ対において記録シート端部側に位置する搬送ローラ対による搬送力が記録シート中央側に位置する搬送ローラ対による搬送力よりも強い事を特徴とする記録シート搬送装置。
【請求項２】
前記隣接する搬送ローラ対を構成する搬送コロにおいて、該搬送コロがある斜送角度を有し、記録シート端部側に位置する搬送コロの斜送角度が記録シート中央部に位置する搬送コロの斜送角度よりも鈍角になっている事を特徴とする請求項1に記載の記録シート搬送装置。
【請求項３】
前記隣接する搬送ローラ対を構成する搬送ローラにおいて、記録シート端部側に位置する搬送ローラのローラ径が記録シート中央部に位置する搬送ローラのローラ径よりも大きい事を特徴とする請求項1に記載の記録シート搬送装置。
【請求項４】
前記隣接する搬送ローラ対を構成する付勢部材において、記録シート端部側に位置する付勢部材の付勢力が記録シート中央部に位置する付勢部材の付勢力よりも大きい事を特徴とする請求項1に記載の記録シート搬送装置。
【発明の詳細な説明】
【技術分野】
【０００１】
本発明は、例えば、複写機、プリンタ、あるいは、ファクシミリ装置などの、記録シート上に画像を形成する画像形成装置、およびこれらの装置に備えられる、記録シートを搬送するための搬送ローラおよび搬送コロを備えた記録シート搬送装置に関するものである。
【背景技術】
【０００２】
画像形成装置としては、例えば、複写機、プリンタ、あるいは、ファクシミリ装置などがある。画像形成装置は、給紙部から給送させた記録シート（転写材・エレクトロファックスシート・静電記録紙など）に適宜の原理・方式の作像プロセス手段部（電子写真プロセス・静電記録プロセス・磁気記録プロセスなど）で目的の画像情報の未定着像（トナー像）を間接（転写）方式又は直接方式にて形成担持させ、該記録シートを定着器（画像熱加熱装置）で加熱して未定着像を熱定着処理して画像形成物（コピー・プリント）として出力させるものが一般的である。これらの画像形成装置には、画像形成部へ記録シートを送るために、各部に記録シート搬送経路を有し、記録シート搬送経路中に、記録シートを搬送するためのローラが複数設けられている。そして、これらの搬送ローラは、一般的にローラ部をゴムで形成し、その表面の摩擦力によってシートを搬送するものである。搬送ローラの対向側に搬送コロが位置し、搬送ローラと搬送コロのニップに記録シートが挟時されることで記録シートが搬送される。図６において、Ｓは転写手段（図示せず）によってトナー像が形成された記録シートＳ、１３および１３’は搬送ローラに対向する搬送コロ１３および１３’、１２は記録シートを搬送する搬送ローラ１２、１７は搬送コロを付勢するばね１７、１８は搬送ローラを駆動するギア１８、１９は記録シートを搬送コロ１３と搬送ローラ１２のニップに記録シートＳをガイドする紙ガイド１９である。記録シートＳに転写された未定着像に熱定着処理を行う定着器（図示せず）を通過した記録シートSは該定着器下流に位置する搬送ローラ１２、搬送コロ１３、によって挟持されることで搬送される。しかし、記録シートSには熱定着処理されなかった未定着トナーが残っていると、未定着トナーが搬送コロ１３表面に付着し汚染することがある。そこで、搬送コロ１３に記録シートＳの搬送方向に対しある一定の斜送角度を持つよう配する事により、搬送コロ１３表面をクリーニングする方法がある。図６のように搬送コロ１３が斜送角度Aを持つ場合の記録シートSにかかる力を図７にて説明する。記録シートSはばね１７によって押圧された搬送コロ１３と搬送ローラ１２に挟持されており、搬送ローラ１２の摩擦力でY方向へ搬送される。搬送コロ１３には斜送角Aがあるため、記録シートSには搬送コロ１３による搬送力FのＸ方向分力Fｘがかかる。１９は搬送コロ１３の端部をガイドするガイド部材１９、Ｒは搬送コロ１３に付着した未定着トナーＲを模式的にあらわしたものである。Ｘ方向分力Ｆｘが記録シートＳにかかることにより、搬送コロ１３には反力が生じ、搬送コロ１３端部がガイド部材１９に当接する。ガイド部材１９と搬送コロ１３端部が当接し搬送コロ１３の移動が制限される事によって、搬送コロ１３表面と記録シートSの間には常に摩擦力Ｆｘが生じる。搬送コロ１３表面に付着した未定着トナーＲは摩擦力Ｆｘにより削られ、記録シートＳに転写される。ただし、未定着トナーＲは微量であるため、記録シートＳに定着したトナー像に影響を与える事はない。
【０００３】
又、従来例としては、例えば特許文献１と特許文献２をあげることが出来る。
【特許文献１】特開平９−１０００５６号公報
【特許文献２】特開平１１−３１４７９６号公報
【発明の開示】
【発明が解決しようとする課題】
【０００４】
しかしながら、上記のような従来技術の場合には、下記のような問題が生じていた。上述したように、記録シートＳには搬送コロ１３の搬送力ＦのＸ方向分力Ｆｘがかかる。図５において、Tは該分力Ｆｘによって記録シートＳの中央部搬送コロ１３間に生じる張力Ｔを示す。中央部搬送コロ１３間は該分力Ｆｘが記録シートS中央に対して左右対称方向にかかるため、記録シートSの中央部は左右に引っ張られたるみが生じる事はない。しかし、中央部搬送コロ１３と端部搬送コロ１３’間では、該分力Ｆｘは同一方向にかかるため、記録シートＳには張力が生じない。そのため、製造誤差等により斜送角Ａが端部搬送コロ１３’より中央部搬送コロ１３の方が少しでも大きくなった場合、記録シートＳにたるみが生じる。記録シートＳにたるみが生じると後段の搬送ローラ対（図示せず）に記録シートが突入する際、しわが発生する恐れがある。図８にて、Ｌは記録シートＳのたるみを示す。両面印字に可能な画像形成装置では、第2印字面を印字する場合はトナー像定着後の第1印字面が紙ガイド１９面側を向くが、記録シートＳのたるみによって紙ガイド１９に接触する事により第1印字面のトナー像が紙ガイド１９に接し、トナー像の剥ぎ取りや紙ガイド１９の汚れが発生する恐れがある。
【０００５】
本発明は上記の従来技術の課題を解決するためになされたもので、その目的とすると搬送コロは、簡単な構成でシート搬送性能の低下防止および良好なトナー像の提供および紙ガイドの汚れ防止を図り、品質性に優れた記録シート搬送装置および画像形成装置を提供することにある。
【課題を解決するための手段】
【０００６】
本発明は下記の構成を特徴とする加熱装置および画像形成装置である。
【０００７】
（１）摩擦力を付与して記録シートを搬送する搬送ローラと、対向位置に設けられた少なくとも4個以上の搬送コロと、搬送コロを搬送ローラに押圧する付勢部材より構成され、前記搬送コロは記録シート搬送方向に対しある一定の斜送角度を有し、且つ前記斜送角度は転写紙中央に対し対称となるよう設定され、且つ中央2個所に配される搬送コロの斜送角度が外側2個所に配される搬送コロの斜送角度よりも鋭角となっていることを特徴とする記録シート搬送装置。
【０００８】
（２）前記（１）の記録シート搬送装置において、前記外側2個所の搬送コロの付勢部材による押圧力を中央2個所に配される搬送コロの押圧力よりも強くする事を特徴とする記録シート搬送装置。
【０００９】
（３）前記（１）の記録シート搬送装置において、前記搬送ローラが対向する搬送コロと同じ数に分割され、前記外側２個所の搬送コロに対向する搬送ローラ2個所の外径を中央2個所よりも大きくする事を特徴とする記録シート搬送装置。
【００１０】
（４）（５）前記（１）乃至（３）の何れかに記載の記録シート搬送装置において、搬送装置が、画像を形成担持させた記録シートを加熱し画像を定着させる定着装置の下流に位置する事を特徴とする記録シート搬送装置。
【発明の効果】
【００１１】
以上の説明から明らかなように、本発明により以下の効果が得られる。
【００１２】
本発明の第１実施例によれば、搬送コロに斜送角を持たせる事でコロ表面のクリーニング効果をねらった搬送装置において、中央部搬送コロの斜送角よりも端部搬送コロの斜送角を大きくする事により、記録シートの中央部のみならず端部にも張力が生じる。
【００１３】
本発明の第２実施例によれば、搬送コロに斜送角を持たせる事でコロ表面のクリーニング効果をねらった搬送装置において、端部搬送ローラ径を中央部搬送ローラ径よりも大きくする事によって記録シート端部の搬送速度が速くなり、記録シートの中央部のみならず端部にも張力が生じる。
【００１４】
本発明の第３実施例によれば、搬送コロに斜送角を持たせる事でコロ表面のクリーニング効果をねらった搬送装置において、端部搬送コロの押圧力を中央部搬送コロの押圧力よりも大きくする事によって記録シート端部の搬送速度が速くなり、記録シートの中央部のみならず端部にも張力が生じる。
【００１５】
張力によって記録シートのたるみがなくなる事により、簡単な構成でシート搬送性能の低下防止および良好なトナー像の提供および紙ガイドの汚れ防止になる。
【発明を実施するための最良の形態】
【００１６】
第1実施例
以下図面に図示された本発明の第一実施例について説明する。先ず、図２を用いてレーザビームプリンタについて説明する。図２において１は記録媒体である記録シートＳを積載するための給紙トレイ１、２は給紙トレイ１に積載された記録シートＳを1枚ずつ給紙する給紙ローラ２、３は給紙ローラ２から給紙された記録シート1を搬送する搬送ローラ３、４は搬送ローラ３に対向するコロ４、５は感光体と転写ローラの接触部へ転写材をガイドする紙ガイド５、６は感光ドラム６ａ、トナー(図示せず)、現像ローラ６ｂを有するプロセスカートリッジ６、７は記録シートＳに感光ドラム６ａからトナー画像を転写するための転写ローラ７、８はレーザー光源(図示せず)、高速で回転するスキャナーミラー８ａ、折り返しミラー８ｂを有するレーザースキャナー８、９は内部に熱源である定着ヒータ（図示せず）を有する加熱手段９、１０は記録紙を加熱手段９に記録シートＳを加圧する加圧ローラ１０、１１は記録シートＳを後述する搬送コロ１３と後述する搬送ローラ１２のニップにトナー像定着後の記録シートＳをガイドする紙ガイド１１、１２は後述する排紙ローラ対１４にトナー像定着後の記録シートＳを搬送する搬送ローラ１２、１３は搬送ローラ１２に対向する搬送コロ１３、１４は記録シートＳを排出する排出ローラ対１４、１５は排出後の記録シートＳを積載する積載面１５、１６は各機構部品を駆動するための電源及び電気部品を有する電装基板である。
【００１７】
図１にて本発明の第1実施例の記録シート搬送装置について説明する。
【００１８】
１７は前記搬送コロ１３を付勢するばね１７、１８は記録シートＳを搬送する搬送ローラ１２の駆動伝達手段であるギア１８である。中央部2個所の搬送コロ１３は、記録シート搬送方向に対して斜送角Ａをもって配される。端部2個所の搬送コロ１３’は、記録シート搬送方向に対して斜送角Ｂをもって配される。斜送角Ａに対し斜送角ＢはＢ＞Ａの関係にある。搬送ローラ１２はギア１８によって駆動を伝えられる事により回転する。記録シートＳに転写された未定着像に熱定着処理を行う定着器（図示せず）を通過した記録シートSは該定着器下流に位置する搬送ローラ１２が回転し、ばね１７の付勢力によって搬送コロ１３が搬送ローラに押圧されることで挟持され、後段の搬送ローラ対１４に搬送される。図３にて、搬送コロ１３には斜送角Aがあるため、記録シートSには搬送コロ１３による搬送力FのＸ方向分力Fｘがかかる。搬送コロ１３’には斜送角Ｂがあるため、記録シートSには搬送コロ１３’による搬送力Ｆ’のＸ方向分力Ｆ’ｘがかかる。１９は搬送コロ１３の端部をガイドするガイド部材１９、Ｒは搬送コロ１３に付着した未定着トナーＲを模式的にあらわしたものである。Ｘ方向分力Ｆｘが記録シートＳにかかることにより、搬送コロ１３には反力が生じ搬送コロ１３および１３’端部がガイド部材１９に当接する。ガイド部材１９と搬送コロ１３および１３’端部が当接し搬送コロ１３および１３’の移動が制限される事によって搬送コロ１３および１３’表面と記録シートSの間には常に摩擦力Ｆｘが生じる。搬送コロ１３および１３’表面に付着した未定着トナーＲは摩擦力Ｆｘにより削られ、記録シートＳに転写される。ただし、未定着トナーＲは微量であるため、記録シートＳに定着したトナー像に影響を与える事はない。斜送角ＡとＢにはＢ＞Ａの関係があるため、該分力ＦｘとＦ’ｘの大きさはＦ’ｘ＞Ｆｘの関係となる。よって記録シートＳには該分力の差による張力Ｔ２がかかる。図１において、T１は該分力Ｆｘによって記録シートＳの中央部搬送コロ１３間に生じる張力Ｔ１を示す。中央部搬送コロ１３間は該分力Ｆｘが記録シートS中央に対して左右対称方向にかかるため、記録シートSの中央部は左右に引っ張られたるみが生じる事はない。また、中央部搬送コロ１３と端部搬送コロ１３’間では、上述した張力Ｔ２がかかるため、同様にたるみが生じる事はない。なお、搬送ローラ対が４個以上の場合でも、隣接する搬送コロにおいて記録シート中央部側の斜送角を端部側の斜送角よりも大きくとる事によって、同様の効果が得られる。
【００１９】
第2実施例
図４にて本発明の第２実施例の記録シート搬送装置について説明する。
【００２０】
搬送ローラ１２は対向する搬送コロと同じ数に分割され、１２ａは分割部のうち両端部の搬送ローラ１２ａ、１２ｂは中央部の搬送ローラ１２ｂである。搬送コロ１３は斜送角度Ａをもって配され、第１実施例同様の未定着トナーのクリーニング効果をねらっている。また同様に記録シートＳの中央部には張力Ｔ１がかかるためたるみは生じない。ここで前記端部搬送ローラ１２ａのローラ直径ｒ’と前記中央部搬送ローラ１２ｂのローラ直径ｒがｒ’＞ｒになるよう設定すると、端部搬送ローラ１２ａによる搬送速度が中央部搬送ローラ１２ｂによる搬送速度よりも速くなる。この時記録シートＳの端部搬送ローラ１２ａと中央部搬送ローラ１２ｂ間には、搬送速度が異なる事によって張力Ｔ２が生じる。張力Ｔ２により、端部搬送ローラ１２ａと中央部搬送ローラ１２ｂの間にたるみは発生しない。なお、搬送ローラ対が４個以上の場合でも、隣接する搬送ローラにおいて記録シート中央部側のローラ径を端部側のローラ径よりも大きくとる事によって、同様の効果が得られる。
【００２１】
第３実施例
図５にて本発明の第３実施例の記録シート搬送装置について説明する。
【００２２】
搬送コロ１３は斜送角度Ａをもって配され、第１実施例同様の未定着トナーのクリーニング効果をねらっている。また同様に記録シートＳの中央部には張力Ｔ１がかかるためたるみは生じない。端部の搬送コロ１３を付勢するばね１７の押圧力をＦ１、中央部の搬送コロ１３を付勢するばね１７’の押圧力をＦ２とすると、Ｆ１＞Ｆ２の関係になるよう設定する。中央部搬送コロの押圧力Ｆ１を端部搬送コロの押圧力Ｆ２よりも大きくする事によって、端部の搬送速度が中央部の搬送速度よりも速くなる。この時記録シートＳの端部搬送コロと中央部搬送コロ間には、搬送速度が異なる事によって張力Ｔ２が生じる。張力Ｔ２により、端部搬送コロと中央部搬送コロの間にたるみは発生しない。なお、搬送ローラ対が４個以上の場合でも、隣接するばねにおいて記録シート中央部側の押圧力を端部側の押圧力よりも大きくとる事によって、同様の効果が得られる。
【図面の簡単な説明】
【００２３】
【図１】本発明の第１実施例に係る搬送装置を示す外観斜視図である。
【図２】本発明の第１実施例に係る画像形成装置を示す概略構成図である。
【図３】第１実施例に係る搬送装置を示す上面図である。
【図４】第２実施例を示す上面図である。
【図５】第３実施例を示す正面図である。
【図６】従来例を示す外観斜視図である。
【図７】従来例のクリーニング機構を示す正面図である。
【図８】従来例を示す正面図である。
【符号の説明】
【００２４】
１１  紙ガイド
１２  搬送ローラ
１３  搬送コロ
１７  ばね
１８  ギア
１９  搬送コロガイド部材
【図１】
2006232523.tif 000003
【図２】
2006232523.tif 000004
【図３】
2006232523.tif 000005
【図４】
2006232523.tif 000006
【図５】
2006232523.tif 000007
【図６】
2006232523.tif 000008
【図７】
2006232523.tif 000009
【図８】
2006232523.tif 000010